(57)【要約】  【課題】  開閉カバーの開閉動作を長期に亘り安定させることができてコストアップも回避できるカード用コネクタ装置を提供すること。【解決手段】  開閉動作の基端部となる開閉カバー３の一端部に係合軸部１３と弾性舌片１４とを設ける。係合軸部１３はハウジング２の後端部に形成された軸遊挿溝５に対して回動可能かつスライド可能に係合し、弾性舌片１４はハウジング２のガイド溝７に挿入されており、開閉カバー３の開閉動作時に弾性舌片１４がガイド溝７の内底面に弾接する。ハウジング２に対して起立させた開閉カバー３を正逆回転させると、弾性舌片１４がガイド溝７の湾曲面部７ｂや湾曲面部７ｄに乗り上げて反力が増大するため、開閉カバー３を該起立姿勢（半開状態）に保持することができる。ただし、開閉カバー３が閉姿勢のときには、弾性舌片１４を撓ませる必要はないので反力は大幅に低減する。【選択図】  図３
2005294114.tif 000002
【特許請求の範囲】
【請求項１】
装填されたカードと対向する位置に複数のコンタクトが配設されたハウジングと、前記ハウジングにヒンジ開閉可能かつ閉姿勢で前後進可能となるように取り付けられた板金製の開閉カバーとを備え、前記開閉カバーの一端部に、前記ハウジングに形成された軸遊挿部に対して回動可能かつスライド可能に係合する係合軸部と、前記開閉カバーの開閉動作時に前記ハウジングの後端部に弾接する弾性舌片とを設けたことを特徴とするカード用コネクタ装置。
【請求項２】
請求項１の記載において、前記ハウジングに、前記弾性舌片が挿入されて前記開閉動作時および前後進動作時における該弾性舌片の移動経路に沿って延びるガイド溝を設けたことを特徴とするカード用コネクタ装置。
【請求項３】
請求項１または２の記載において、前記ハウジングのうち前記弾性舌片が摺接可能な領域に、前記開閉カバーが前記ハウジングに対して所定の角度をなす開姿勢のときに前記弾性舌片が摺接する舌片保持部と、前記開閉カバーを前記所定角度から閉方向へ回転させたときに前記弾性舌片を押し撓める反力増大部とを連続して設けたことを特徴とするカード用コネクタ装置。
【請求項４】
請求項３の記載において、前記舌片保持部が略平坦面であって、かつ、前記反力増大部が凸状湾曲面であることを特徴とするカード用コネクタ装置。
【発明の詳細な説明】
【技術分野】
【０００１】
本発明は、メモリーカード等のカードを装填して使用されるカード用コネクタ装置に係り、特に、ヒンジ開閉可能な開閉カバーを備えたカード用コネクタ装置に関する。
【背景技術】
【０００２】
この種のカード用コネクタ装置は、複数のコンタクトが配設されたハウジングと、ハウジングにヒンジ開閉可能かつ前後進可能となるように取り付けられた開閉カバーとを備えており、閉姿勢の開閉カバーを前進（スライド）させることによって、開閉カバーとハウジングとの間に挟み込まれたカードの接続端子を対応するコンタクトと接触させることができ、かつ、開閉カバーをハウジングに係止されたロック状態に設定できるようになっている。そして、開閉カバーの開閉動作および前後進動作を簡単な構造で実現するために、従来の一般的なカード用コネクタ装置では、開閉動作の基端部となる開閉カバーの一端部に軸部を設けると共に、ハウジングの側壁に該軸部を挿入して案内する長孔を設け、該長孔によって該軸部を回動可能かつスライド可能に支持していた。
【０００３】
ところで、かかる従来構造では、開閉カバーの開閉動作および前後進動作を円滑に行わせるために、軸部がハウジングの長孔内へ遊挿された状態、つまり軸部と長孔の壁面との間の摺動抵抗を極力抑えた状態に設定しておかねばならないので、開閉カバーの開閉動作時（特に閉動作時）に軸部が長孔に沿ってスライドしやすくなる。そして、開閉カバーの閉動作を行っている途中で長孔内の軸部が前方へ大きくスライドしてしまうと、開閉カバーを完全に閉じることができなくなってしまうため、ロック状態に移行できなくなって操作性に支障をきたしたり、開閉カバーを無理に閉じようとしてコネクタ装置を破損する危険性があった。
【０００４】
そこで従来より、閉動作時に懸念される開閉カバーの不所望なスライド動作を防止できるように配慮したカード用コネクタ装置が提案されている（例えば、特許文献１参照）。このものは、ハウジング（ベースプレート）の後端部に開閉カバーの軸部を摺接させるカム面が設けてあり、開閉カバーの開閉動作時に軸部が該カム面に位置規制されるようになっているため、閉動作の完了前に開閉カバーがロック不能な位置までスライドしてしまう心配がなくなり、操作性や信頼性が向上している。
【特許文献１】特開２００３−３６９３４号公報（第４−７頁、図７）
【発明の開示】
【発明が解決しようとする課題】
【０００５】
前述した従来技術は、軸部をカム面に摺接させることによって開閉カバーを位置規制しているため、閉動作時に懸念される開閉カバーの不所望なスライド動作を防止するうえで有効ではあるが、その反面、軸部やカム面を高い寸法精度で形成しなければならないため安価に製造できないという問題があった。また、かかる従来のカード用コネクタ装置では、経年変化による軸部やカム面の摩耗が避けがたいため、長期間使用すると開閉カバーの開閉動作が不安定になりやすいという問題もあった。
【０００６】
本発明は、このような従来技術の実情に鑑みてなされたもので、その目的は、開閉カバーの開閉動作を長期に亘り安定させることができてコストアップも回避できるカード用コネクタ装置を提供することにある。
【課題を解決するための手段】
【０００７】
上述した目的を達成するため、本発明のカード用コネクタ装置では、装填されたカードと対向する位置に複数のコンタクトが配設されたハウジングと、前記ハウジングにヒンジ開閉可能かつ閉姿勢で前後進可能となるように取り付けられた板金製の開閉カバーとを備え、前記開閉カバーの一端部に、前記ハウジングに形成された軸遊挿部に対して回動可能かつスライド可能に係合する係合軸部と、前記開閉カバーの開閉動作時に前記ハウジングの後端部に弾接する弾性舌片とを設ける構成とした。
【０００８】
開閉動作の基端部となる開閉カバーの一端部に弾性舌片を設けておき、この弾性舌片が開閉動作時にハウジングの後端部に弾接するようにしてあると、開閉カバーは弾性舌片をハウジングに押し付けた状態で開動作や閉動作を行うことになるので、開閉動作時に不所望なスライド動作が起こりにくくなる。また、開閉カバーが閉姿勢のときには弾性舌片を撓ませる必要がないため、開閉カバーを円滑に前後進（スライド）させることができる。つまり、弾性舌片を付設することによって開閉カバーの開閉動作と前後進動作を分離させることができる。また、板金製の開閉カバーに弾性舌片を付設しても部品コストはほとんど変わらず、かつ、弾性舌片が弾接する領域においてハウジングの寸法精度を特に高める必要もないことから、コストアップも回避できる。
【０００９】
上記の構成において、前記ハウジングに、前記弾性舌片が挿入されて前記開閉動作時および前後進動作時における該弾性舌片の移動経路に沿って延びるガイド溝を設けると、弾性舌片を常にガイド溝に沿って移動させることができるため、開閉カバーの開閉動作および前後進動作を円滑に行うことができて好ましい。
【００１０】
また、上記の構成において、前記ハウジングのうち前記弾性舌片が摺接可能な領域に、前記開閉カバーが前記ハウジングに対して所定の角度をなす開姿勢のときに前記弾性舌片が摺接する舌片保持部と、前記開閉カバーを前記所定角度から閉方向へ回転させたときに前記弾性舌片を押し撓める反力増大部とを連続して設けておくことが好ましい。これにより、ハウジングに対して所定の角度をなす開姿勢に位置させた開閉カバーは、ハウジングからの反力が増大する閉方向へは勝手に変位しなくなるので、開閉カバーを該開姿勢に保持しておく機構が簡単に実現できる。例えば、舌片保持部が略平坦面であって、かつ、反力増大部が凸状湾曲面であれば、開閉カバーの閉動作に伴って弾性舌片の摺接位置が舌片保持部から反力増大部へ移行すると、該弾性舌片は凸状湾曲面に押し撓められるためハウジングから受ける反力が増大する。したがって、弾性舌片を略平坦面からなる舌片保持部に摺接させた姿勢で開閉カバーを保持しておくことが容易となる。
【発明の効果】
【００１１】
本発明は、コンタクトが配設されたハウジングにヒンジ開閉可能かつ前後進可能となるように開閉カバーが取り付けられているカード用コネクタ装置において、板金製の開閉カバーの一端部に弾性舌片を設け、この弾性舌片が開閉カバーの開閉動作時にハウジングの後端部に弾接するようにしてあるため、開閉動作時に不所望なスライド動作が起こりにくくなる。また、板金製の開閉カバーに弾性舌片を付設しても部品コストはほとんど変わらず、弾性舌片が弾接する領域においてハウジングの寸法精度を特に高める必要もない。それゆえ、開閉カバーの開閉動作を長期に亘り安定させることができてコストアップも回避できるカード用コネクタ装置が提供できる。
【発明を実施するための最良の形態】
【００１２】
実施の形態を図面を参照して説明すると、図１は本発明の実施形態例に係るカード用コネクタ装置のカバー全開状態を示す斜視図、図２は図１に示すコネクタ装置の側面図、図３は該コネクタ装置のカバー半開状態をカードと共に示す斜視図、図４は図３に示すコネクタ装置の側面図、図５は該コネクタ装置のカバーを閉じたアンロック状態を示す斜視図、図６は図５に示すコネクタ装置の側面図、図７は該コネクタ装置のカバーを閉じたロック状態を示す斜視図、図８は図７に示すコネクタ装置の側面図、図９は該コネクタ装置のハウジングの底面図、図１０（ａ）〜（ｄ）は該コネクタ装置の組立工程を示す要部説明図、図１１（ａ）〜（ｄ）は該コネクタ装置の弾性舌片の動作説明図である。
【００１３】
図１〜図８に示すカード用コネクタ装置は、ＩＣチップを内蔵したカード２０（図３参照）を装填して使用される。このコネクタ装置は、複数のコンタクト１が配設された合成樹脂製のハウジング２と、このハウジング２にヒンジ開閉可能に取り付けられた板金製の開閉カバー３とによって構成されており、開閉カバー３はハウジング２に対して閉姿勢で前後進可能となっている。
【００１４】
ハウジング２は金型内にコンタクト１をインサートして成形されたモールド品であって、このハウジング２にはカード２０を配置させるためのカード収納部４が画成されており、カード収納部４にカード２０を装填することによって、カード２０の底面に露出する図示せぬ接続端子をコンタクト１と接触させることができる。ハウジング２の両側面の後端部には小判形状の軸遊挿溝５が刻設されており、また、ハウジング２の両側面の前端部には開閉カバー３をロックするための係合突起６が突設されている。そして、ハウジング２の後端部には、一方の軸遊挿溝５の近傍にハウジング２の上面から後端面を経て下面へと至るガイド溝７が形成されている。図１０に示すように、ガイド溝７の内底面は、水平面と緩やかな傾斜面からなる上面部７ａと、上面部７ａの後端に連続する湾曲面部７ｂと、湾曲面部７ｂに連続する垂直面からなる後端面部７ｃと、後端面部７ｃの下端に連続する湾曲面部７ｄと、湾曲面部７ｄに連続する水平面からなる下面部７ｅとによって構成されている。さらに、上面部７ａの下方にはハウジング２の下面に臨出する逃げ穴８が形成されており、また、逃げ穴８と下面部７ｅとの間にはストッパ部９が突設されており、このストッパ部９は逃げ穴８側が湾曲して下面部７ｅ側が垂直な形状に形成されている。
【００１５】
板金製の開閉カバー３は、平板部１０の両側に側壁部１１および係止片１２を設けてなり、ハウジング２を蓋閉するような形状に折曲加工されている。各側壁部１１の一端部には係合軸部１３が設けられており、この係合軸部１３はハウジング２の軸遊挿溝５に遊挿されて回動可能かつスライド可能に係合している。したがって、開閉カバー３は係合軸部１３の存する側を基端部として開閉動作させることができ、かつ、係合軸部１３を軸遊挿溝５の長手方向にスライドさせることによって前後進させることができる。開閉カバー３の先端部の両側に位置する係止片１２はハウジング２の係合突起６に係脱可能であって、係止片１２が係合突起６に係止されると開閉カバー３はロック状態となる。また、平板部１０の基端側には一方の側壁部１１の近傍に弾性舌片１４が延設されている。この弾性舌片１４はハウジング２のガイド溝７に挿入されており、開閉カバー３の開閉動作時には弾性舌片１４がガイド溝７の内底面に弾接するようになっている。なお、ガイド溝７は、開閉動作時および前後進動作時における弾性舌片１４の移動経路に沿って延びている。
【００１６】
このようなカード用コネクタ装置を組み立てる際には、図１０に示すような手順で開閉カバー３をハウジング２に取り付ける。すなわち、まず図１０（ａ）に示すように、ハウジング２の後端部の下面に開閉カバー３を略垂直な姿勢で位置合わせして、逃げ穴８内に弾性舌片１４を挿入すると共に、一対の軸遊挿溝５内にそれぞれ係合軸部１３を嵌め込むことにより、開閉カバー３の基端部をハウジング２の後端部にて軸支する。次に、図１０（ｂ）および（ｃ）に示すように、弾性舌片１４をストッパ部９の湾曲面に沿って摺動させながら、開閉カバー３をハウジング２の後方へ向けて回転させていく。そして、図１０（ｄ）に示すように、弾性舌片１４がストッパ部９を乗り越えると、開閉カバー３の逆向きの回転はストッパ部９によって規制されるため、開閉カバー３は全開位置が規定されて取付が完了する。
【００１７】
この後、開閉カバー３をさらに回転させて図１１（ａ）に示すように起立させると、弾性舌片１４はガイド溝７の垂直な後端面部７ｃに摺接するが、この状態で開閉カバー３を正逆いずれかの向きに回転させると、弾性舌片１４が湾曲面部７ｂや湾曲面部７ｄに弾接して押し撓められるため、ハウジング２からの反力は増大する。したがって、弾性舌片１４を後端面部７ｃに摺接させることによって、開閉カバー３を図１１（ａ）に示す起立姿勢、つまり図３および図４に示す半開状態に保持することができる。また、半開状態の開閉カバー３を湾曲面部７ｂに抗してさらに回転させ、図１１（ｂ）に示すように全閉アンロック状態にすると、弾性舌片１４がガイド溝７の上面部７ａに摺接するため、ハウジング２からの反力は低減する。
【００１８】
次に、上述したカード用コネクタ装置の動作について説明する。カード２０の装填時には、ハウジング２に対して開閉カバー３を開いてカード収納部４を露出させる。かかる開閉カバー３の開動作は、図１〜図６に示すように、軸遊挿溝５内の後端側に位置する係合軸部１３を回動中心として行われる。すなわち、図５および図６に示す全閉アンロック状態の開閉カバー３を、係合軸部１３を回動中心として開いていくと、弾性舌片１４がガイド溝７の上面部７ａから湾曲面部７ｂへと摺動して次第に押し撓められていくため、摺動抵抗は徐々に増大するが、弾性舌片１４が湾曲面部７ｂを乗り越えて後端面部７ｃに至ると摺動抵抗は低減し、図３および図４に示すように開閉カバー３を約９０°開いた起立姿勢の半開状態に保持することができる。したがって、この半開状態でカード２０をカード収納部４に配置させることができる。
【００１９】
また、開閉カバー３を図１および図２に示すように全開させる場合には、半開状態の開閉カバー３を湾曲面部７ｄに抗してさらに回転させる。このとき、弾性舌片１４がガイド溝７の後端面部７ｃから湾曲面部７ｄへと摺動して次第に押し撓められていくため、摺動抵抗は徐々に増大するが、弾性舌片１４が湾曲面部７ｄを乗り越えると摺動抵抗は低減し、弾性舌片１４の先端がストッパ部９に当接して規定される全開状態で開閉カバー３を保持することができる。
【００２０】
開閉カバー３を開いてカード収納部４にカード２０を配置させたなら、まず、開閉カバー３を閉じて、図５および図６（ただしカードは図示せず）に示す全閉アンロック状態にする。これによって、開閉カバー３は弾性舌片１４を上面部７ａに摺接させた閉姿勢となるが、閉姿勢に移行する直前に弾性舌片１４は湾曲面部７ｂを乗り越えるため摺動抵抗が増大する。したがって、かかる閉動作時に開閉カバー３が意図せず前進（スライド）してしまう心配はない。
【００２１】
この後、全閉アンロック状態の開閉カバー３をハウジング２の前方へスライドさせると、図７および図８（ただしカードは図示せず）に示すように係止片１２が係合突起６に係止されるため、開閉カバー３はハウジング２にロックされて開動作不能な状態となり、カード２０の装填作業が完了する。なお、かかる開閉カバー３の前進動作時に、弾性舌片１４は図１１（ｂ）の状態から図１１（ｃ），（ｄ）の状態へと移行していくので、弾性舌片１４と上面部７ａとの間に生じる摺動抵抗は非常に小さい。また、一対の係合軸部１３はそれぞれ遊挿されている軸遊挿溝５によって前方へ案内され、かつ、弾性舌片１４はガイド溝７によって前方へ案内されるため、開閉カバー３を円滑に前進させることができる。
【００２２】
なお、装填されているカード２０を取り出す際には、上記と全く逆の動作を行えば良い。すなわち、まず開閉カバー３をロック位置から後退させて全閉アンロック状態とし、次いで開閉カバー３を例えば半開状態まで開いてカード収納部４内のカード２０を取り出せば良い。この場合も、開閉カバー３の後退動作は円滑に行える。
【００２３】
このように本実施形態例に係るカード用コネクタ装置は、開閉カバー３の基端部に付設した弾性舌片１４が開閉動作時にハウジング２の後端部に弾接するように構成されており、開閉カバー３は弾性舌片１４をガイド溝７の内底面に押し付けた状態で開動作や閉動作を行うため、開閉動作時に開閉カバー３が不所望なスライド動作を起こす危険性が少なく、摩耗による動作不良も発生しにくい。それゆえ、開閉カバー３の開閉動作を長期に亘り安定させることができる。また、開閉カバー３が閉姿勢のときには弾性舌片１４を撓ませる必要がないため、開閉カバー３を円滑に前後進（スライド）させることができる。また、板金製の開閉カバー３に弾性舌片１４を付設しても部品コストはほとんど変わらず、かつ、弾性舌片１４が弾接する領域においてハウジング２の寸法精度を特に高める必要もないことから、コストアップも回避できる。
【００２４】
また、このカード用コネクタ装置は、弾性舌片１４を常にガイド溝７に沿って移動させることができるため、開閉カバー３の開閉動作および前後進動作を極めて円滑に行わせることができる。しかも、ガイド溝７の後端面部７ｃの上下に、弾性舌片１４に対する反力を増大させる湾曲面部７ｂ，７ｄを設け、開閉カバー３をハウジング２に対して約９０°開くと起立姿勢（半開状態）に保持されるようにしてあるため、カード２０の着脱が容易に行える。したがって、このカード用コネクタ装置は操作性に優れ、良好な使い勝手が期待できる。
【００２５】
なお、上述した実施形態例では、カードをハウジングのカード収納部に配置させてから開閉カバーを閉じて挟み込むタイプのカード用コネクタ装置について説明しているが、開閉カバーにカード収納部を設けてカードを該カバーに着脱させるタイプのカード用コネクタ装置であっても、本発明は適用可能である。
【図面の簡単な説明】
【００２６】
【図１】本発明の実施形態例に係るカード用コネクタ装置のカバー全開状態を示す斜視図である。
【図２】図１に示すコネクタ装置の側面図である。
【図３】該コネクタ装置のカバー半開状態を示す斜視図である。
【図４】図３に示すコネクタ装置の側面図である。
【図５】該コネクタ装置の全閉アンロック状態を示す斜視図である。
【図６】図５に示すコネクタ装置の側面図である。
【図７】該コネクタ装置の全閉ロック状態を示す斜視図である。
【図８】図７に示すコネクタ装置の側面図である。
【図９】該コネクタ装置のハウジングの底面図である。
【図１０】該コネクタ装置の組立工程を示す要部説明図である。
【図１１】該コネクタ装置の弾性舌片の動作説明図である。
【符号の説明】
【００２７】
１  コンタクト
２  ハウジング
３  開閉カバー
４  カード収納部
５  軸遊挿溝（軸遊挿部）
６  係合突起
７  ガイド溝
７ａ  上面部
７ｂ，７ｄ  湾曲面部（反力増大部）
７ｃ  後端面部（舌片保持部）
８  逃げ穴
９  ストッパ部
１２  係止片
１３  係合軸部
１４  弾性舌片
２０  カード
【図１】
2005294114.tif 000003
【図２】
2005294114.tif 000004
【図３】
2005294114.tif 000005
【図４】
2005294114.tif 000006
【図５】
2005294114.tif 000007
【図６】
2005294114.tif 000008
【図７】
2005294114.tif 000009
【図８】
2005294114.tif 000010
【図９】
2005294114.tif 000011
【図１０】
2005294114.tif 000012
【図１１】
2005294114.tif 000013